(57)【特許請求の範囲】
【請求項１】
貫通孔を有する絶縁基台と、該絶縁基台に軸部によって回転可能に保持された回転部材とを備え、前記絶縁基台に取り付けられ、アーム部を設けた取付板を有すると共に、前記絶縁基台と前記回転部材との間には、凹凸部からなるクリック溝を有する前記絶縁基台より外形の小さい回転板が配設され、前記取付板に設けられた前記アーム部は、前記絶縁基台の前記貫通孔に挿通されて前記回転板側に延設され、前記回転部材の回転時、前記回転板が同時に回転して、前記クリック溝に前記アーム部が係合してクリック感を得るようにしたことを特徴とする回転型電気部品。
【請求項２】
前記取付板は、平板状の基部と、該基部から折り曲げ形成された前記アーム部と、前記アーム部の先端の略中央に設けられ、前記クリック溝と係合する凸部と、該凸部と前記基部との間で前記アーム部に設けられた第一の孔とを備えたことを特徴とする請求項１記載の回転型電気部品。
【請求項３】
前記凸部を挟んで両側に位置する前記アーム部の両側部が、前記絶縁基台の前記貫通孔の角部で支持されたことを特徴とする請求項２記載の回転型電気部品。
【請求項４】
絶縁基台と、該絶縁基台に軸部によって回転可能に保持された回転部材とを備え、前記絶縁基台に取り付けられ、アーム部を設けた取付板を有すると共に、前記絶縁基台と前記回転部材との間には、凹凸部からなるクリック溝を有する前記絶縁基台より外形の小さい回転板が配設され、前記取付板は、平板状の基部と、該基部から折り曲げ形成された前記アーム部と、前記アーム部の先端の略中央に設けられ、前記クリック溝と係合する凸部と、該凸部と前記基部との間で前記アーム部に設けられた第一の孔とを有し、前記回転部材の回転時、前記回転板が同時に回転して、前記クリック溝に前記アーム部の前記凸部が係合してクリック感を得るようにしたことを特徴とする回転型電気部品。
【請求項５】
前記取付板の前記基部には第二の孔を設け、該第二の孔を前記絶縁基台の突起に係合して、前記絶縁基台に対する前記取付板の位置決めを行うようにしたことを特徴とする請求項２から４の何れかに記載の回転型電気部品。
【請求項６】
前記回転板の外周端面に前記クリック溝を設けたことを特徴とする請求項１から５の何れかに記載の回転型電気部品。
【請求項７】
前記回転板には、前記絶縁基台と対向する面にパターンを設け、前記絶縁基台には、前記パターンに摺動する摺動子を設け、前記回転板の回転時、前記パターンに前記摺動子を摺動させるようにしたことを特徴とする請求項１から６の何れかに記載の回転型電気部品。
【請求項８】
前記パターンに近接した位置で、前記アーム部を前記回転板に係合させたことを特徴とする請求項７記載の回転型電気部品。
【発明の詳細な説明】
【０００１】
【発明の属する技術分野】
本発明は、回転型可変抵抗器や、回転操作式パルススイッチ等として用いられる回転型電気部品に関する。
【０００２】
【従来の技術】
従来の回転型電気部品を図２５，図２６に基づいて説明すると、図２５は、従来の回転型電気部品の部分破断平面図であり、図２６は、図２５の２６−２６線における断面図である。
【０００３】
従来の回転型電気部品の構成を、図２５，２６に基づいて説明すると、絶縁基板７１は薄い絶縁性材料からなる平板で構成され、略中心に設けられた中心孔７１ａと、側部に設けられた切り欠き部７１ｂとを有し、この絶縁基板７１の表面には、パターニングされた同心円状の抵抗体７２が形成されている。取付板７３は金属製の薄板からなり、平板状の基部７３ａと、該基部７３ａの略中央から絞り加工にて形成された円筒状の鳩目部７３ｂと、基部７３ａの外周部に切り起こされて形成された爪部７３ｃと、基部７３ａの一端から突出して形成されたアーム部７４と、アーム部７４の先端に設けられた半円球状の凸部７４ａとを有している。そして、この取付板７３は、基部７３ａが絶縁基板７１に重ね合わされた状態で、中心孔７１ａには鳩目部７３ｂが挿入され、切り欠き部７１ｂには爪部７３ｃが嵌入されて、絶縁基板７１を抱持している。また、アーム部７４と凸部７４ａは、絶縁基板７１の端部を超えて延びた状態となっている。
【０００４】
つまみ部７５は、モールド成型された合成樹脂製の略円型状の薄型の平板からなり、周縁端面に凹凸部を有する平板状の操作部７５ａと、操作部７５ａの下面の外周部近傍の一部に形成されたクリック溝７５ｂと、操作部７５ａの表面の略中央に形成された円形状の凹部７６と、その凹部７６の中心に設けられた上下に貫通する中心孔７６ａを有している。
複数個の摺動子７７は金属製の薄板からなり、平板状の取付部７７ａと、該取付部７７ａから突出した複数個の摺動部７７ｂとで構成されている。そして、取付部７７ａはカシメ等の適宜手段によりつまみ部７５に取り付けられている。
そして、つまみ部７５は、中心孔７６ａに挿通された取付板７３の鳩目部７３ｂの先端が円形状の凹部７６内に収納されるようにカシメられることにより絶縁基板７１に取り付けられ、そして、つまみ部７５が取り付けられた際、摺動部７７ｂが抵抗体７２に摺接する状態で、絶縁基板７１に対して回動可能に取り付けられる。
【０００５】
このような構成の回転型電気部品は、つまみ部７５を回動操作すると、摺動子７７が抵抗体上を摺動して、抵抗値が変化するようになっている。そして、この時、つまみ部７５の回転によって、つまみ部７５の下面に設けられたクリック溝７５ｂが、取付板７３の突部７４ａに係脱することによって操作者にクリック感を与え、つまみ部７５の回転位置を感知することができるようになっている。
【０００６】
【発明が解決しようとする課題】
しかし、従来の回転型電気部品では、アーム部７４と凸部７４ａを絶縁基板７１の端部から延ばして、つまみ部７５のクリック溝７５ｂと係合させて、クリック機構を構成しているので、回転型電気部品が径方向に大型化してしまうという問題がある。
また、アーム部７４は、つまみ部７５に対して鳩目部７３ｂの軸方向に弾圧するものであるため、鳩目部７３ｂによるカシメを外す方向にバネ圧がかかるので、アーム部７４のバネ圧を強くできずに、強いクリックトルクにできないという問題がある。
さらに、アーム部７４が外部に露出しているので、外力によりアーム部７４が変形しやすいという問題がある。
本発明は、小型で、クリックトルクを強くでき、且つ、良好なクリック感を操作者に与えることができる回転型電気部品を提供することをその目的とする。
【０００７】
【課題を解決するための手段】
上記課題を解決するための第一の解決手段として、貫通孔を有する絶縁基台と、該絶縁基台に軸部によって回転可能に保持された回転部材とを備え、前記絶縁基台に取り付けられ、アーム部を設けた取付板を有すると共に、前記絶縁基台と前記回転部材との間には、凹凸部からなるクリック溝を有する前記絶縁基台より外形の小さい回転板が配設され、前記取付板に設けられた前記アーム部は、前記絶縁基台の前記貫通孔に挿通されて前記回転板側に延設され、前記回転部材の回転時、前記回転板が同時に回転して、前記クリック溝に前記アーム部が係合してクリック感を得るようにした。
【０００８】
また、第二の解決手段として、前記取付板は、平板状の基部と、該基部から折り曲げ形成された前記アーム部と、前記アーム部の先端の略中央に設けられ、前記クリック溝と係合する凸部と、該凸部と前記基部との間で前記アーム部に設けられた第一の孔とを備えた構成とした。
【０００９】
また、第三の解決手段として、前記凸部を挟んで両側に位置する前記アーム部の両側部が、前記絶縁基台の前記貫通孔の角部で支持された構成とした。
【００１０】
また、第四の解決手段として、絶縁基台と、該絶縁基台に軸部によって回転可能に保持された回転部材とを備え、前記絶縁基台に取り付けられ、アーム部を設けた取付板を有すると共に、前記絶縁基台と前記回転部材との間には、凹凸部からなるクリック溝を有する前記絶縁基台より外形の小さい回転板が配設され、前記取付板は、平板状の基部と、該基部から折り曲げ形成された前記アーム部と、前記アーム部の先端の略中央に設けられ、前記クリック溝と係合する凸部と、該凸部と前記基部との間で前記アーム部に設けられた第一の孔とを有し、前記回転部材の回転時、前記回転板が同時に回転して、前記クリック溝に前記アーム部の前記凸部が係合してクリック感を得るようにした。
【００１１】
また、第五の解決手段として、前記取付板の前記基部には第二の孔を設け、該第二の孔を前記絶縁基台の突起に係合して、前記絶縁基台に対する前記取付板の位置決めを行うようにした。
【００１２】
また、第六の解決手段として、前記回転板の外周端面に前記クリック溝を設けた。
【００１３】
また、第七の解決手段として、前記回転板には、前記絶縁基台と対向する面にパターンを設け、前記絶縁基台には、前記パターンに摺動する摺動子を設け、前記回転板の回転時、前記パターンに前記摺動子を摺動させるようにした。
【００１４】
また、第八の解決手段として、前記パターンに近接した位置で、前記アーム部を前記回転板に係合させた。
【００１５】
【発明の実施の形態】
本発明の回転型電気部品を図１から図２４に基づいて説明すると、図１から図２４は何れも本発明の回転型電気部品に係り、図１は、回転型電気部品の要部正面図であり、図２は、図１の２−２線における要部断面図であり、図３は、回転型電気部品の分解斜視図であり、図４は、回転部材の正面図であり、図５は、回転部材の側面図であり、図６は、回転板の正面図であり、図７は、絶縁基台の正面図であり、図８は、絶縁基台の背面図であり、図９は、絶縁基台の要部拡大図であり、図１０は、取付板の正面図であり、図１１は、取付板の側面図であり、図１２は、取付板が絶縁基台に挿入された状態を示す要部の斜視図であり、図１３は、つまみ部の正面図であり、図１４は、図１３の１４−１４線における断面図である。
【００１６】
また、図１５〜図１７は、回転部材とつまみ部の係合状態を説明する要部断面図であり、図１８は、回転部材とつまみ部とが組み合わされた状態を示す正面図であり、図１９は、回転板の製造方法を示す要部正面図であり、図２０は、回転部材とつまみ部の組立方法を示す斜視図であり、図２１は、回転部材とつまみ部とのスナップ止めを説明する要部断面図であり、図２２は、回転部材とつまみ部との組立状態を示す正面図であり、図２３は、クリック動作を説明するための要部正面図であり、図２４は、クリック動作を説明するための要部側面図である。
【００１７】
回転部材１は、図１から図５に示すように、略円型の薄型の合成樹脂からなり、その中央に形成された上下に貫通する中心孔１ａと、その中央部に設けられ、外周面が非円形を成した筒状部１ｂと、その周縁には、同材料で構成され、係合部としての役目を有し、外方に向かって放射状に形成された可撓性ある第一の舌片１ｃと第二の舌片１ｄと突部１ｅを有している。そして、第一の舌片１ｃは、互いに９０度を成すように４個設けられ、第二の舌片１ｄは、第一の舌片１ｃの中間に互いに９０度を成すよう４個設けられ、突部１ｅは、第一、第二の舌片１ｃ、１ｄの中間に互いに４５度を成すように８個設けられている。そして、図５に示すように、第一の舌片１ｃは先端が下方に丸められて、第二の舌片１ｄの先端よりも下方に位置している状態となっている。
【００１８】
回転板２は、図６に示すように、略円型をした薄型のＰＥＴ等の熱可塑性樹脂のフィルム又は板材からなる絶縁基板で構成されると共に、プレス加工によって形成され、その中央に形成された上下に貫通する非円形の中心孔２ａと、その外周端面に形成された交互の凹凸からなる波形のクリック溝２ｂとを有している。そして、回転板２の表面には略放射状に形成された導電性のパターン３が設けられ、この回転板２は、中心孔２ａが回転部材１の筒状部１ｂに挿入され、カシメ等の適宜手段により回転部材１の下面に取り付けられている。そして、回転板２は、回転部材１と共回りするようになっている。
【００１９】
軸部であるピン４は、アルミ等の金属からなり、回転部材１の中心孔１ａに嵌入され、ピン４の上面と回転部材１の上面とが面一の状態になっている。
【００２０】
絶縁基台５は略円形の合成樹脂成型材からなり、図７から図９に示すように、円板状の板体５ａと、板体５ａの上下面における外周囲に隆起して形成されたリング状の壁部５ｂを有し、板体５ａには上下に貫通する四角形状の２個の孔５ｃと、中央に形成された上下に貫通する中心孔５ｄが設けられ、板体５ａと壁部５ｂの間には、略台形の貫通孔６が形成されている。そして、貫通孔６は、両端が狭く、中心に向かうほど広くなっており、真ん中の板体５ａ側には切り欠き形成された凹部６ａを有し、両端には角部６ｂが形成されている。また、板体５ａの下面において、貫通孔６の略中央から板体５ａの中心に向かって形成された突起７が形成されている。そして、絶縁基台５は、その中心孔５ｄにピン４が挿通されることによって、回転部材１を回転可能に保持し、この時、絶縁基台５は絶縁基台５より外形の小さい回転板２の下面に位置すると共に、回転板２が絶縁基台５と回転部材１との間に配設された状態になっている。そして、この時、壁部５ｂの一方の面が、回転部材１の下面に近接することにより絶縁基台５のガタツキが抑えられるようになっている。
【００２１】
２個の摺動子８は金属製の薄板からなり、平板状の取付部８ａと、該取付部８ａから僅かに折り曲がった複数個の摺動部８ｂと、取付部８ａに繋がって形成された端子８ｃとを有している。そして、取付部８ａが絶縁基台５の板体５ａに埋設されて取り付けられ、摺動部８ｂが孔５ｃから外方へ突出し、端子８ｃは絶縁基台５の外側から突出する状態となる。そして、絶縁基台５が取り付けられた時、摺動部８ｂは回転板２のパターン３と対向し、摺動部８ｂは、回転板２と弾接する状態となり、回転板２の回転時に、摺動部８ｂが回転板２上を摺動するようになっている。
【００２２】
クリック部材としての役目を有する取付板９は、図１０，図１１に示すように、金属製の薄板からなり、小判型の平板状の基部１０と、基部１０の一端から垂直に折り曲げられ、中央部に矩形状の第一の孔１１を設けて形成されたコ字状のアーム部１２を有すると共に、基部１０には、その略中央に形成された円形の孔１０ａと、先端に形成された突出部１０ｂを有している。また、アーム部１２は、基部１０から略垂直に繋がった２個の側部である垂直腕部１２ａと、２個の垂直腕部１２ａを繋ぐ水平腕部１２ｂを有し、水平腕部１２ｂの略中央には半円柱状の凸部１２ｃが形成されている。また、基部１０には、第一の孔１１の中央から孔１０ａに向かって、第一の孔１１に繋がる細長の第二の孔１３が形成されている。なお、垂直腕部１２ａ、水平腕部１２ｂにより、アーム部１２は折り曲げ方向と直交する方向に弾性を持つ状態になっている。
【００２３】
そして、取付板９の孔１０ａにピン４が挿通され、カシメ等の適宜手段によって、取付板９は板体５ａの下面に設けられた凹部に、基部１０がはまるように取り付けられ、回転型電気部品の本体部材１４が構成される。この時、図１２に示すように、アーム部１２は、板体５ａの貫通孔６に挿通されていると共に、凸部１２ｃの下端部は貫通孔６に隣接する凹部６ａの底面に位置した状態になっている。また、図２に示すように、第二の孔１３は絶縁基台５の板体５ａの下面に設けられた突起７に係合された状態となっており、これによって取付板９の位置決めがなされている。さらに、アーム部１２は、その両側部、即ち垂直腕部１２ａが角部６ｂで支持された状態で回転板２側に延び、また回転板２のクリック溝２ｂは、回転板２に形成されたパターン３に近接した位置で、取付板９のアーム部１２に形成された半円柱状の凸部１２ｃと弾接した状態となっている。
【００２４】
そして、本体部材１４において、回転板２が設けられた回転部材１は、取付板９が取り付けられた絶縁基台５に対して、互いに回動可能に取り付けられた状態となっており、回転部材１を回転させると、これに伴い回転板２が回転し、クリック溝２ｂとアーム部１２の凸部１２ｃが係合離脱を繰り返すようになっている。この時、アーム部１２は、回転板２に対して、ピン４の軸方向と直交する方向にバネ圧がかかるようになっている。
【００２５】
つまみ部１５は、図１３，図１４に示すように、リング状の合成樹脂から構成され、外周縁に交互の凹凸を有する操作部１５ａと、その内周部の後面が切り欠かれて開放部１５ｄを設けることによって、前面側に形成された僅かな突出部からなる前面側の係止部１５ｂと、その内周部の前面が切り欠かれて開放部１５ｄを設けることによって、後面側に形成された僅かな突出部からなる後面側の係止部１５ｃとを有している。そして、前面側の係止部１５ｂは、互いに９０度を成すように４個設けられ、また、後面側の係止部１５ｃは、前面側の係止部１５ｂの中間に互いに９０度を成すように４個設けられている。即ち、図１７に示すように、つまみ部１５は、前面側と後面側において、前後方向に間隔を置いて前面側の係止部１５ｂと後面側の係止部１５ｃが一対として設けられた状態となっている。また、図１５に示すように、前面側の係止部１５ｂには、回転部材１の第二の舌片１ｄが後面で係合すると共に、図１６に示すように、後面側の係止部１５ｃには、回転部材１の第一の舌片１ｃがスナップ止めにより前面で係合した状態、即ち、図１７に示すように、第一の舌片１ｃと第二の舌片１ｄが一対の係止部１５ｂ、１５ｃ間である開放部１５ｄに位置した状態で、つまみ部１５が、回転部材１の外周を覆うようにスナップ止めされている。この時、第一の舌片１ｃの先端部は第二の舌片１ｄの先端部より後面側に位置した状態となっている。また、回転部材１の突部１ｅは、つまみ部１５の内周面と当接することにより、つまみ部１５の位置決めのガイドになっている。そして、図１８に示すように、つまみ部１５は、上面からみて端子８ｃの大部分を覆う状態となっている。
【００２６】
そして、操作者によりつまみ部１５が回転されると、それに伴い回転部材１と共に、回転板２が回転し、クリック溝２ｂとアーム部１２の凸部１２ｃが係合離脱を繰り返すようになっている。
【００２７】
本発明の回転型電気部品は以上の様に構成され、次に、本発明の回転型電気部品に係る回転板２の製造方法について説明すると、回転板２は、図１９に示すように、先ず大版の絶縁基板１６にスクリーン印刷等によりパターン３を複数形成し、その後、図中の点線の部分をプレス加工して凹凸部からなるクリック溝２ｂを形成することにより、打ち抜きによって製造される。そして、このように形成された回転板２は、前述したように回転部材１に取り付けられ、その下面に、取付板９が取り付けられた絶縁基台５が設けられる。そして、ピン４に、取付板９の孔１０ａを挿通させ、ピン４をカシメることにより、回転部材１，絶縁基台５，取付板９が一体化されて本体部材１４が形成される。
【００２８】
そして、本発明の回転型電気部品は、種々の電気機器に組み込まれて使用されるが、この組み込みについて説明すると、図２０に示すように、所望の電子回路が設けられた回路基板１７にクリーム半田１８を設け、クリーム半田１８上に、回転部材１及び絶縁基台５から突出した端子８ｃと、取付板９の突出部１０ｂとを載置し、その後、赤外線等を上方から照射することにより半田付けをするリフロー半田により、本体部材１４が回路基板１７に実装される。この時、端子８ｃは、回転部材１及び絶縁基台５から十分に突出しているので、クリーム半田１８の全てに赤外線が当たるようになっている。なお、突出部１０ｂは、本体部材１４のアースになっている。
次に、つまみ部１５を回転部材１にスナップ止めする。即ち、図２１に示すように、つまみ部１５の後面側の係止部１５ｃを矢印Ａの方向に押圧し、後面の係止部１５ｃを回転部材１の第一の舌片１ｃと当接させると共に、さらに圧力を加えることにより第一の舌片１ｃを矢印Ｂの方向にたわませ、第一の舌片１ｃが後面側の係合部１５ｃを乗り越えると、図１６，１７に示すように、第一の舌片１ｃが開放部１５ｄに嵌入された状態で、後面側の係止部１５ｃに係止して、スナップ止めが行われる。また、第一の舌片１ｃが係止部１５ｃに係止する前に、第二の舌片１ｄが係止部１５ｂに当接するようになっている。
【００２９】
このような構成の本発明の回転型電気部品は、図２２から図２４に示すように、つまみ部１５を回転させることによって、回転部材１が同方向に回転し、さらに図２３に示すように、回転部材１に取り付けられた回転板２もこれに伴い同方向に回転する。そして、回転板２のパターン３に摺動子８が接離して、互いの位置が変化し、パルス信号が出力されるようになっている。さらに、図２３，図２４に示すように、回転板２のクリック溝２ｂと、取付板９のアーム部１２の半円柱状部分である凸部１２ｃが弾接して、回転板２が回転することにより、その凹凸への係合離脱を繰り返して、その都度操作者にクリック感覚を与えるようになっている。
【００３０】
なお、本発明は上記実施の形態に限られないことはいうまでもなく、ピン４に代えて、取付板９の基部１０の略中央部に鳩目を設け、回転部材１の中心孔１ａに突出した鳩目の先端をカシメる形態のものであっても良い。また、本発明の実施の形態における熱可塑性樹脂はＰＥＴを用いたが、ポリカ、ＰＥＩ、ＰＥＮ、ＰＡ、ＰＰ等のフィルムで形成しても良い。
【００３１】
【発明の効果】
本発明の回転型電気部品では、絶縁基台より外形の小さい回転板のクリック溝にアーム部が係合してクリック感を得るようにしたため、径方向に小型の回転型電気部品を提供することができる。また、つまみ部に直接アーム部が係合しないので、つまみ部が変形しにく、信頼性の高い回転型電気部品を提供することができる。
【００３２】
また、パターンを設けた回転板をクリック部材としたため、アーム部によってパターンの位置決めを正確にでき、ＯＮ、ＯＦＦ信号等の切り替わるタイミングがとりやすい回転型電気部品を提供することができる。
【００３３】
また、回転板の外周端面にクリック溝を設けたため、アーム部はピンに対して軸方向と直交する方向にバネ圧がかかり、ピンの取付を浮かせる方向（軸方向）にバネ圧がかからないので、アーム部のバネ圧を強くできるため、強いクリックトルクにすることができ、性能が高い回転型電気部品を提供することができる。
【００３４】
また、アーム部は、絶縁基台の貫通孔に挿通されて回転板側に延びてクリック溝に係合した構成としたため、アーム部が外方に露出しないので外からの力によって変形しにくく、また、アーム部が貫通孔にガイドされているので貫通孔の範囲内で変形が抑えられ、信頼性の高い回転型電気部品を提供することができる。
【００３５】
また、取付板は、アーム部の先端の略中央に設けられ、クリック溝と係合する凸部と、凸部と基部との間でアーム部に設けられた第一の孔とを備えた構成としたため、凸部にバネ圧を持たせることができると共に、凸部とクリック溝との係合なので、回転板のクリック溝と位置精度を高めることができ、クリックのタイミングがとりやすく信頼性の高い回転型電気部品を提供することができる。
【００３６】
また、凸部を挟んで両側に位置するアーム部の両側部が、絶縁基台の貫通孔の角部で支持された構成としたため、アーム部のバネ圧を強くすることができるので、より強いクリック感を操作者に与えることができる回転型電気部品を提供することができる。
【００３７】
また、取付板の基部には第二の孔を設け、第二の孔を絶縁基台の突起に係合して、絶縁基台に対する取付板の位置決めを行うようにしたため、取付板の取り付けを迅速、且つ、確実に行うことができるので、組立作業性が良く、信頼性の高い回転型電気部品を提供することができる。
【００３８】
また、パターンに近接した位置で、アーム部を回転板に係合させたため、パターン近傍で発生する静電気に対して、アーム部がアースとして機能するので信頼性の高い回転型電気部品を提供することができる。
【図面の簡単な説明】
【図１】本発明の回転型電気部品の要部正面図。
【図２】図１の２−２線における要部断面図。
【図３】本発明の回転型電気部品の分解斜視図。
【図４】本発明の回転型電気部品に係る回転部材の正面図。
【図５】本発明の回転型電気部品に係る回転部材の側面図。
【図６】本発明の回転型電気部品に係る回転板の正面図。
【図７】本発明の回転型電気部品に係る絶縁基台の正面図。
【図８】本発明の回転型電気部品に係る絶縁基台の背面図。
【図９】本発明の回転型電気部品に係る絶縁基台の要部拡大図。
【図１０】本発明の回転型電気部品に係る取付板の正面図。
【図１１】本発明の回転型電気部品に係る取付板の側面図。
【図１２】本発明の回転型電気部品に係り、取付板が絶縁基台に挿入された状態を示す要部の斜視図。
【図１３】本発明の回転型電気部品に係るつまみ部の正面図。
【図１４】図１３の１４−１４線における断面図。
【図１５】本発明の回転型電気部品に係り、回転部材とつまみ部の係合を説明する要部断面図。
【図１６】本発明の回転型電気部品に係り、回転部材とつまみ部の係合を説明する要部断面図。
【図１７】本発明の回転型電気部品に係り、回転部材とつまみ部の係合状態を説明する要部断面図。
【図１８】本発明の回転型電気部品に係り、回転部材とつまみ部とが組み合わされた状態を示す正面図。
【図１９】本発明の回転型電気部品に係り、回転板の製造方法を示す要部正面図。
【図２０】本発明の回転型電気部品に係り、回転部材とつまみ部の組立方法を示す斜視図。
【図２１】本発明の回転型電気部品の回転部材とつまみ部とのスナップ止めを説明する要部断面図。
【図２２】本発明の回転型電気部品に係り、回転部材とつまみ部との組立状態を示す正面図。
【図２３】本発明の回転型電気部品のクリック動作を説明するための要部正面図。
【図２４】本発明の回転型電気部品のクリック動作を説明するための要部側面図。
【図２５】従来の回転型電気部品の部分破断平面図。
【図２６】図２５の２６−２６線における断面図。
【符号の説明】
１  回転部材
２  回転板
３  パターン
４  ピン
５  絶縁基台
６  貫通孔
７  突起
８  摺動子
９  取付板
１０  基部
１１  第一の孔
１２  アーム部
１３  第二の孔
１４  本体部材
１５  つまみ部
１６  絶縁基板
１７  回路基板
１８  クリーム半田
【図１】
0003647327.tif 000002
【図２】
0003647327.tif 000003
【図３】
0003647327.tif 000004
【図４】
0003647327.tif 000005
【図５】
0003647327.tif 000006
【図６】
0003647327.tif 000007
【図７】
0003647327.tif 000008
【図８】
0003647327.tif 000009
【図９】
0003647327.tif 000010
【図１０】
0003647327.tif 000011
【図１１】
0003647327.tif 000012
【図１２】
0003647327.tif 000013
【図１３】
0003647327.tif 000014
【図１４】
0003647327.tif 000015
【図１５】
0003647327.tif 000016
【図１６】
0003647327.tif 000017
【図１７】
0003647327.tif 000018
【図１８】
0003647327.tif 000019
【図１９】
0003647327.tif 000020
【図２０】
0003647327.tif 000021
【図２１】
0003647327.tif 000022
【図２２】
0003647327.tif 000023
【図２３】
0003647327.tif 000024
【図２４】
0003647327.tif 000025
【図２５】
0003647327.tif 000026
【図２６】
0003647327.tif 000027